(57)【特許請求の範囲】
【請求項１】
ズーミング光学系と、
ファインダ内において点灯または点滅表示を行う表示部と、
撮影者が上記表示部を注視しているか否かを検出する視線方向検出手段と、
撮影者が上記表示部を注視している時間を計測する計測手段と、
上記視線方向検出手段により上記撮影者が上記表示部を注視しているとの検出結果が得られた際に、上記計時手段により計測される時間に応じた変倍駆動量を決定する決定手段と、
上記決定手段による変倍駆動量の決定後、この変倍駆動量に基づいて、上記ズーミング光学系を広角側または望遠側に変倍駆動する変倍駆動手段と、
を具備することを特徴とするカメラ。
【発明の詳細な説明】
【０００１】
【発明の属する技術分野】
本発明は、ファインダ内に設けられた表示手段を注視することにより、視線検出を行うカメラに関する。
【０００２】
【従来の技術】
一般に、撮影者が所望する画角で撮影することができるズームレンズが装着されたカメラがある。
このようなカメラのズームレンズによる焦点距離の設定は、手動によるものや、手動ボタンと電動アクチュエータを組合わせたものが普及している。特に、長い焦点距離の範囲をズーミング可能にする、即ち高倍率のより遠くの被写体を撮影することが可能な高倍率ズームレンズが要求されている。
【０００３】
また、例えば、特開平２−３２３１２号公報には、ファインダに結像される画面内で撮影者の視線を関知して、注視する被写体に焦点を合わせる、視線入力によるオートフォーカス（ＡＦ）カメラが提案されている。
さらに特開平４−１２４２３５号公報には、ファインダ内に結像された被写体を観察しながら絞り値等の設定データを、撮影者の視線により変更できるカメラの情報設定装置が提案されている。
【０００４】
【発明が解決しようとする課題】
しかしながら、上述した先行例のズームレンズによる焦点距離の設定はいずれも手動ボタンの操作によるものであり、ズーミング操作が煩わしいという問題があった。特に、高倍率ズームの場合には、ズーミング動作のために操作ボタンを操作している時間が長くなり、一層操作が煩わしいものであった。また、視線入力により、ズーミングが可能なカメラは、いずれの先行例にも開示されていない。
そこで、本発明は、視線入力によるズーミングが可能であり、撮影者が手動のズームボタンの操作をせずに、非接触でズーミングを行うことが可能なカメラを提供することを目的とする。
【０００６】
【課題を解決するための手段】
本発明は上記目的を達成するために、ズーミング光学系と、ファインダ内において点灯または点滅表示を行う表示部と、撮影者が上記表示部を注視しているか否かを検出する視線方向検出手段と、撮影者が上記表示部を注視している時間を計測する計測手段と、上記視線方向検出手段により上記撮影者が上記表示部を注視しているとの検出結果が得られた際に、上記計時手段により計測される時間に応じた変倍駆動量を決定する決定手段と、上記決定手段による変倍駆動量の決定後、この変倍駆動量に基づいて、上記ズーミング光学系を広角側または望遠側に変倍駆動する変倍駆動手段とを備えるカメラを提供する。
【０００７】
【発明の実施の形態】
以下、図面を参照して本発明の実施形態について詳細に説明する。
図１（ａ）は、本発明による第１の実施形態としてのズームレンズが装着されたカメラの概念的な構成を示し説明する。
【０００８】
このカメラは、構成する部材を制御するワンチップ・マイクコンピュータからなるＣＰＵ１と、ズームレンズ３を駆動するズーム制御部２と、ファインダ内に設けられた図１（ｂ）に示すようなキャラクタ表示（ＬＥＤ）４ａ，４ｂを点灯及び点滅等を行うファインダ表示部４と、ファインダを覗く撮影者の目６がファインダ内のどの位置を注視しているかを検出する視線方向検出部５と、撮影者が注視を継続しているかを検出する注視継続有無検出部７と、その注視を継続したいた時間を測定する時間測定部（タイマ）８とにより、構成されている。
【０００９】
図１（ｂ）に示すＬＥＤ４ａは、ズームレンズ３をワイド側（Ｗ）にズーミング動作させるためのものであり、ＬＥＤ４ｂは、ズームレンズ３をテレ側（Ｔ）にズーミング動作するさせるためのものであり、各ＬＥＤ４ａ，４ｂは、作動中は点滅し、停止すると点灯するように制御され、また、視線方向を検出する検出部も兼ねている。
またＣＰＵ１は、撮影者がワイド側のＬＥＤ４ａかテレ側のＬＥＤ４ｂのいずれかを注視しているか、もしくは、画角内を注視しているかを検出し、その結果に従って、ズーム制御部２を介して、ズームレンズ３をテレ側もしくはワイド側にズーミングするか否か決定し、駆動制御する。
【００１０】
図１（ｃ）に示すフローチャートを参照して、このように構成されたカメラのズーミング動作について説明する。
まず、視線方向検出部５により、ＬＥＤ４ａ，４ｂを注視しているか否か判定する（ステップＳ１）。この判定で、注視されていれば（ＹＥＳ）、カウンタリセットし（ステップＳ２）、注視が終了するまで注視時間Ｔをカウントする（ステップＳ３，Ｓ４）。この注視時間Ｔは、いずれかのＬＥＤ４ａ，４ｂを注視したことによって、ズーム量Ｚ1 が決定される（ステップＳ５）。次に、ズーミングを開始し、同時にズーム制御部２より、ＣＰＵ１がズーミング量Ｚ1 をモニタする（ステップＳ６）。
【００１１】
次に、１ｓｔレリーズスイッチ３７がオンした場合（ステップＳ７）、若しくはズーム量がステップＳ５で求められたズーム量Ｚ1 に至った場合に（ステップＳ８）、ズーミング動作が停止する（ステップＳ９）。
従って、ＬＥＤ４ａ，４ｂを注視する時間が長くなるほど、ズーム量は大きくなり、レリーズボタン（シャッタボタン）を半押して、１ｓｔレリーズスイッチ３７をオンさせることにより、任意の画角で、ズーミング動作を停止させる。
【００１２】
このように構成されたカメラにより、撮影者は、手動のズームボタンの操作をせずに、非接触でズーミングを行うことができ、手動操作が不要でズーミング動作できる。
【００１３】
次に図２（ａ）には、前述したカメラの視線方向検出部５が組み込まれたカメラのファインダ光学系の概略的な構成を示し説明する。
このファインダ光学系は、対物レンズ２０及び、接眼レンズ２２からなり、前記接眼レンズ２２の中央部には、ハーフミラー２１が設けられており、このハーフミラー２１の上方に視線方向検出部５が配置されている。この視線方向検出部５は、ハーフミラー２３、第１結像レンズ２６、第２結像レンズ２７、発光ダイオード２４及び、ＣＣＤ等のラインセンサ２５から構成される。
【００１４】
前記ラインセンサ２５における個々のセンサアレイは、図２において、紙面方向に対して、垂直な方向、即ちカメラを正面から見た場合の水平方向に沿って配置されている。この視線方向検出部５は、発光ダイオード２４の光を第１結像レンズ２６及びハーフミラー２３，２１を介して、撮影者の目６に入射させ、この目６で反射した反射光をハーフミラー２１，２３及び第２結像レンズ２７を介して、ラインセンサ２５上に角膜反射光像と、虹彩と白眼との境界（虹彩エッジ）を検出するように構成されている。
【００１５】
そして、図２（ｂ）には、前述した角膜反射像及び虹彩エッジに対応するラインセンサの出力値を横軸は、目の中心を水平に通る軸に沿ったラインセンサ２５の位置をそれぞれ示している。
また、図２（ｂ）において、ラインセンサの出力は、角膜反射像の出力Ａ、虹彩エッジの出力Ｂ，Ｃであり、これら出力Ａ，Ｂ，Ｃの位置の相対関係を用いて、撮影者の視線方向をＣＰＵ１が処理する。
【００１６】
次に、図３には、前述した視線方向検出部５を搭載したカメラのブロック図を示し説明する。ここで、このカメラの構成部材で図１（ａ）の構成部材と同等の部材には、同じ参照符号を付して、その説明を省略する。
このカメラにおいて、ＣＰＵ１には、測距用回路（ＡＦ）３０が、被写体までの距離を検出して、カメラのオートフォーカス機能として設けられ、ＣＰＵ１は、所定のタイミングで、このＡＦ回路３０を作動させ、出力信号に従って、ピント合わせを行う。
【００１７】
またＣＰＵ１には、被写体輝度判定用のセンサ３２からの輝度信号を出力したり、ＣＰＵ１の制御信号に従って、モータドライバ３３を介して、モータ３４を駆動するインターフェース（ＩＦ）回路３１が接続される。そして、前記モータ３４の動きは、エンコーダ３５により検出され、ＣＰＵ１に入力される。このモータ３４は、この図では代表として１つ示しただけであるが、通常、複数個設けられており、ズーミング用、シャッタ制御用、フィルム巻き上げ制御用等の動力として配置されている。
【００１８】
また、ズームレンズ３のズーミング駆動は、ＣＰＵ１の制御信号により、ＩＦ回路３１、ドライバ３３を介して、モータ３４を駆動させて行う。撮影レンズに連動して、撮影者に分かりやすいように、ファインダ３６もズーム動作するように設計されている。
また、１ｓｔレリーズスイッチ３７は、レリーズボタンを押し込む途中（半押し状態）にオンするスイッチであり、“ファーストレリーズ”と称され、撮影者の撮影開始の直前のタイミングを検出するものである。そして、２ｎｄレリーズスイッチ３８は、前記レリーズボタンを完全に押し込むと、オンするスイッチであり、シャッタボタン即ち、露光のタイミングを検出するものである。またＣＰＵ１に設けられたメインスイッチ３９は、オン状態でＣＰＵ１を動作させ、オフ状態で動作を禁止するスイッチであり、不必要な消費電流の軽減や撮影時以外の誤動作を防止する。
【００１９】
次に図４に示すフローチャートを参照して、このような構成のカメラの動作を説明する。
まず、視線方向検出部５を断続的に作動させ、撮影者の視線が図１（ｂ）のＬＥＤ４ｂ（テレ側）を注視しているか否か判定する（ステップＳ１１）。この判定でＬＥＤ４ｂ（テレ側）を注視していない場合（ＮＯ）、ＬＥＤ４ａ（ワイド側）を注視しているか否か判定する。この判定でＬＥＤ４ａ（ワイド側）を注視していない場合（ＮＯ）、ズーミング動作を行わないものとされ、１ｓｔレリーズスイッチ３７のオンを待機する（ステップＳ１４）。
【００２０】
前記ステップＳ１１の判定でＬＥＤ４ｂ（テレ側）を注視している場合には  （ＹＥＳ）、ステップＳ２３に移行し、テレ側（長焦点距離）にズーミング動作を所望しているものと判定する。また、前記ステップＳ１２の判定でＬＥＤ４ａ（ワイド側）を注視している場合には（ＹＥＳ）、ステップＳ３０に移行し、ワイド側（近焦点距離）にズーミング動作を所望しているものと判定する。
【００２１】
そしてステップＳ１１で（テレ側）にズーミング動作を所望する場合に（ＹＥＳ）、図６（ｃ）に示すようなＤＣ電源をＬＥＤに送り、図６（ａ）に示すようにＬＥＤ４ｂを点灯させて、撮影者に対して表示を行い（ステップＳ２３）、視線方向検出が正しくなされ、モータ３４が所定方向に回転し、ズームレンズ３がテレ側に所定量ズーミングされる（ステップＳ２４）。
【００２２】
そして、テレ側にいっぱいにまで（テレ端ｆmax ）ズーミングされたか否か判定し（ステップＳ２５）、テレ端まで達した場合には（ＹＥＳ）、警告が行われ（ステップＳ２６）、ズーミングを停止させ（ステップＳ２７）、ステップＳ１１に戻る。
前述した警告は、ＬＥＤ４ｂを図６（ｂ）に示すように点灯から点滅へと変えるもので、図６（ｄ）に示すようにＬＥＤは、２Ｈｚでデューティ５０％で断続的に駆動される。この警告により、撮影者は、これ以上テレ側にズーミングできないことを認識させる。一方、ステップＳ２５において、まだズーミング可能な時には（ＮＯ）、１ｓｔレリーズスイッチ３７のオンを待機し、オンすれば（ＹＥＳ）、撮影を所望するものと判定され、ズーミング動作を停止させ（ステップＳ２９）、ステップＳ１４に移行する。
【００２３】
また、前記ステップＳ１２で（ワイド側）にズーミング動作を所望する場合に（ＹＥＳ）、図６（ａ）に示すＬＥＤ４ａを点灯させて、撮影者に対して表示を行い（ステップＳ３０）、視線方向検出がなされ、モータ３４が所定方向に回転し、ズームレンズ３がワイド側に所定量ズーミングされる（ステップＳ３１）。そして、ワイド側にいっぱいにまで（ワイド端ｆmin ）ズーミングされたか否か判定し（ステップＳ３２）、ワイド端まで達した場合には（ＹＥＳ）、警告が行われ（ステップＳ１１）、ズーミングを停止させ（ステップＳ２６）、ステップＳ１１に戻る。前述した警告は、ＬＥＤ４ｂと同様である。
【００２４】
一方、ステップＳ３２において、まだズーミング可能な時には（ＮＯ）、１ｓｔレリーズスイッチ３７のオンを待機し（ステップＳ３５）、オンすれば（ＹＥＳ）、撮影を所望するものと判定され、ズーミング動作を停止させ（ステップＳ３６）、ステップＳ１４に移行する。
そして、ステップＳ１４に移行するとＣＰＵ１の制御により、測距し（ステップＳ１４）、測光が行なわれる（ステップＳ１５）。これらの測距・測光は図３のＡＦ回路３０、ＩＦ回路３１を動作させて行われる。
【００２５】
次に、２ｎｄレリーズスイッチ３８がオンされたか否かを判定し（ステップＳ１６）、この判定でオンされていなければ（ＮＯ）、１ｓｔレリーズスイッチ３７がオンされているか否かを判定する（ステップＳ２２）。ステップＳ２２で１ｓｔレリーズスイッチ３７がオンされていれば（ＹＥＳ）、ステップＳ１６に移行して２ｎｄレリーズスイッチ３８がオンを待機する、しかし、１ｓｔレリーズスイッチ３７がオフされていれば（ＮＯ）、ステップＳ１１に戻る。これは、撮影者がレリーズボタンを離して、構図変更等の理由で撮影を中断したような場合である。
【００２６】
次に前記ステップＳ１６で、２ｎｄレリーズスイッチ３８がオンされると（ＹＥＳ）、ピント合わせが行われる（ステップＳ１７）。そして、図３に示したカメラの振動を検知する振動検知部４０を搭載したシステムである場合、所定の焦点距離ｆT1と、限定されたズームレンズの焦点距離ｆとを比較する（ステップＳ１８）。この比較により、長焦点距離側にある時（ＹＥＳ）、手ぶれが起こる頻度が高くなると判断して、振動検知を行う（ステップＳ１９）。
この振動検知の結果、振動検知量ｍ≧所定量ｍ０  の場合は（ＮＯ）、ステップＳ１９に戻り、振動が治まるのを待機する。しかし、振動検知量ｍ＜所定量ｍ０  の場合は（ＹＥＳ）、露光する（ステップＳ２１）。
【００２７】
次に図５のフローチャートを参照して、前記振動検知について説明する。
この振動検知においては、図３では、視線方向検出部５とは別個に設けたが、視線方向検出部５を利用してもよい。即ち、２ｎｄレリーズスイッチ３８の“オン”以降には、撮影者は主要被写体を注視しているので、視線方向検出信号の時間変化の大きさから振動を検出するようにしてもよい。つまり、図２に説明した構成を用いて、図５に示すシーケンスのように出力を処理することにより、２ｎｄレリーズスイッチ３８を押下してオンした露光信号（撮影タイミング信号）の発生以後は、視線方向検出部５を振動検知部として利用する。これにより本実施形態のカメラは、手ぶれを防止しつつ、構成部材を増やさずに、またコストアップをすることなく提供できるものである。
【００２８】
まず、２ｎｄレリーズスイッチ３８のオンしたか否か判定し（ステップＳ１３１）、オンした時に（ＹＥＳ）、視線方向検出部５をカメラの振動検出部の機能を切換える。次にカウンタをリセットし（ステップＳ１３２）、ラインセンサから出力Ｄ１を読出す。そしてカウンタでカウント開始し、所定時間ｔ０  になったとき（ステップＳ１３４，Ｓ１３５）、ラインセンサから出力Ｄ２を読出す（ステップＳ１２６）。そして、読出したラインセンサの出力Ｄ１，Ｄ２を減算して絶対値をとり、カメラの振動を表す振動検知量ｍを得る（ステップＳ１３７）。
【００２９】
ここで得られた振動検知量ｍは、カメラと撮影者が動いていなければ、この振動検知量ｍは、“０”となり、動き（揺れ）が大きいほど、この振動検知量ｍは大きくなる。
【００３０】
次に図７には、第２の実施形態として、ファインダ内の表示ＬＥＤを４ａ，４ｂ，４ｃ，４ｄの４個にして、より使いやすいカメラを説明する。
このＬＥＤ４ａ，４ｂは、ワイド側、テレ側の各ズーミング動作の低速制御用に用いて、ＬＥＤ４ｃ，４ｄは、前記ズーミング動作の高速制御用として可変速度ズームである。
【００３１】
図８に示すフローチャートを参照して、このようなカメラの可変速度ズームの動作について説明する。
まず、ＬＥＤ４ａが注視されているか否か判定し（ステップＳ４１）、この判定でＬＥＤ４ａが注視されていれば（ＹＥＳ）、低速でワイド側にズーミング動作を行い（ステップＳ４２）、ＬＥＤ４ａが注視されていなければ（ＮＯ）、ＬＥＤ４ｃが注視されているか否か判定する（ステップＳ４３）。
【００３２】
このステップＳ４３の判定でＬＥＤ４ｃが注視されていれば（ＹＥＳ）、高速でワイド側にズーミング動作され（ステップＳ４４）、しかしＬＥＤ４ｃが注視されていなければ（ＮＯ）、ＬＥＤ４ｂが注視されているか否か判定する（ステップＳ４５）。
このステップＳ４５の判定で、ＬＥＤ４ｂが注視されていれば（ＹＥＳ）、低速でテレ側にズーミング動作を行い（ステップＳ４６）、しかしＬＥＤ４ｂが注視されていなければ（ＮＯ）、ＬＥＤ４ｄが注視されているか否か判定する（ステップＳ４７）。
【００３３】
このステップＳ４７の判定で、ＬＥＤ４ｄが注視されていれば（ＹＥＳ）、高速でテレ側にズーミング動作を行う（ステップＳ４８）。以上のズーミング動作を行った後、１ｓｔレリーズスイッチ３７がオンされたか否か判定し、オフであれば（ＮＯ）ステップＳ４１に戻り、オンされれば（ＹＥＳ）、測距を行い（ステップＳ５０）、次に図４のステップＳ１５に移行して、同じ処理を行う。但し、テレ側，ワイド側には、低速，高速ズーミングの違いがあり、図４のステップＳ２４，Ｓ３１において、ズーミング動作のステップに相当する部分を速度に従って変形したものとする。
【００３４】
つまり、ステップＳ４２のサブルーチンにおいては、ワイド側へのズーミング動作を所定時間に１０ｍｍ刻みで移動するのに対して、ステップＳ４４のサブルーチンにおいては、ワイド側へのズーミングを所定時間に３０ｍｍ刻みで移動するようにしている。同様に、ステップＳ４６では、テレ側へのズーミングを１０ｍｍ刻みで行い、ステップＳ４７では、テレ側へのズーミングを３０ｍｍ刻みで行うようにする。これにより撮影者は、よりきめ細かな且つ素早いズーミング動作を行うことができる。
【００３５】
次に本発明の第３の実施形態としてのカメラについて説明する。  本実施形態のカメラは、図３に示した構成と同じであり、メインスイッチ３９が閉成（オン）している場合、前述したような常に視線方向検出を行っている状態である実施形態では、図２（ａ）に示す視線検出用ＬＥＤに無駄な消費電流等が流れることから、撮影者が１度、レリーズボタンを半押した後、視線方向検出を行うようにしたものである。
【００３６】
図９に示すフローチャートを参照して、このように構成されたカメラの動作について説明する。
まず、１ｓｔレリーズスイッチ３７がオンか否か判定する（ステップＳ６０）。この判定でオンされないと（ＮＯ）、視線方向検出部５は作動しない。そしてオンされると（ＹＥＳ）、視線方向検出用タイマｔがリセットされ（ステップＳ６１）、測距、測光が行われる（ステップＳ６２，Ｓ６３）。
【００３７】
次に２ｎｄレリーズスイッチ３８がオンか否かを判定し（ステップＳ６４）、オンされれば（ＹＥＳ）、撮影者がズーミング動作せずに撮影するものと判定され、ピント合わせ（ステップＳ６５）をした後、露光が行われ（ステップＳ６６）、撮影が終了する。
しかし、前記ステップＳ６４で２ｎｄレリーズスイッチ３８がオフならば（ＮＯ）、１ｓｔレリーズスイッチ３７のオンが継続しているか否か判定し（ステップＳ６７）、オン状態であれば（ＹＥＳ）、２ｎｄレリーズスイッチ３８がオンするまで待機し、オフされていれば（ＮＯ）、ファインダ内の表示用ＬＥＤ４ａ，４ｂを点灯させ（ステップＳ６８）、視線方向検出部５が作動したことを表示する。
【００３８】
そして、この点灯状態で、ＬＥＤ４ａ，４ｂのいずれかを撮影者が注視すると、注視するＬＥＤを判定する（ステップＳ６９，Ｓ７２）。また撮影者が注視しない方のＬＥＤが消灯され（ステップＳ７０，Ｓ７３）、動作している側の方が容易に認識できる。次にテレ側，ワイド側に所定量だけズーミングする（ステップＳ７１，Ｓ７４）。
次に１ｓｔレリーズスイッチ３７がオンされているか否かを判定し（ステップＳ７５）、オンされていれば（ＹＥＳ）、測距・測光がなされ（ステップＳ７７，Ｓ７８）、ステップＳ６４へ移行する。
【００３９】
しかし、ステップＳ７５の判定で、１ｓｔレリーズスイッチ３７のオンが検出されないときは（ＮＯ）、操作時間ｔが予め設定された所定時間ｔ０  を越えたか否か判定し（ステップＳ７６）、操作時間ｔが所定時間ｔ０  未満であれば（ＮＯ）、ステップＳ６９に戻り、操作時間ｔが所定時間ｔ０  を過ぎていれば（ＹＥＳ）、省力化のためにステップＳ６０に戻り、視線方向検出部５をオフする。
再度、ズーミング動作させるときには、レリーズボタンを判押しして、１ｓｔレリーズスイッチ３７をオンさせればよい。
【００４０】
また、図２で説明した視線方向検出用センサ２５を２次元検出が可能なものとすることにより、図１０に示すように、ファインダ内に配置したＬＥＤ４ｅやＬＥＤ４ｆを撮影者が注視したか否かも検出可能となる。
このＬＥＤ４ｅを注視した場合に、露光が行われるように設定すれば、従来のカメラのレリーズボタン押し込みの際に生じる振動による手ぶれを防止することができる。ただし、ファインダ内の１点を見ただけで露光されてしまうシーケンスでは、誤って写真を撮影してしまう可能性があるため、図１１に示すようなフローチャートにして、１ｓｔレリーズスイッチ３７がオンした状態で、ＬＥＤ４ｅを注視したときのみ、露光を行うようにする。つまり、図１１の実施形態では、基本的に従来通りの外部手動によるレリーズスイッチがあることを想定している。
【００４１】
まず、ＬＥＤ４ａを注視しているか否か判定し（ステップＳ８１）、ＬＥＤ４ａを注視しているならば（ＹＥＳ）、ワイド側にズーミング動作を行い（ステップＳ８２）、注視していないならば（ＮＯ）、ＬＥＤ４ｂを注視しているか否か判定する（ステップＳ８３）。このステップＳ８３の判定で、ＬＥＤ４ｂを注視しているならば（ＹＥＳ）、テレ側にズーミング動作を行う（ステップＳ８４）。  次に１ｓｔレリーズスイッチ３７がオンした状態であるか否か判定し（ステップＳ８５）、オフならば（ＮＯ）ステップＳ８１に戻り、オンした状態であれば（ＹＥＳ）、測距し（ステップＳ８６）、測光し（ステップＳ８７）、ピント合わせを行う（ステップＳ８８）。
【００４２】
次に、ＬＥＤ４ｅが注視されているか否か判定し（ステップＳ８９）、注視していなければ（ＮＯ）、２ｎｄレリーズスイッチ３８がオンされたか否か判定し（ステップＳ９１）、ＬＥＤ４ｅが注視されていれば（ＹＥＳ）、露光する（ステップＳ９０）。
前記ステップＳ９１において、２ｎｄレリーズスイッチ３８がオフされていれば（ＮＯ）、１ｓｔレリーズスイッチ３７がオンされているか否か判定し、オンされていれば（ＹＥＳ）、ステップＳ８９に戻って待機し、１ｓｔレリーズスイッチ３７がオフされていれば（ＮＯ）、撮影者がレリーズボタンを離したものと判定し、ステップＳ８１に戻る。また前記ステップＳ９１において、２ｎｄレリーズスイッチ３８がオンされれば（ＹＥＳ）、ステップＳ９０に移行して、露光する。
【００４３】
また図１０に示したＬＥＤ４ｆは、セルフタイマ開始の機能であり、これを注視することにより、ＬＥＤ４ｆが点滅を開始し、所定時間の後に、レリーズが切れるようにしたカメラも同様な考えで製造することができる。
このような視線検出により、レリーズ（露光）動作できる機能を持たせることにより、三脚等に固定せずに不安定な所にカメラを置いて、セルフ撮影等をする場合に、不用意にレリーズボタンに触って、構図を乱してしまうことを防止できる。
【００４４】
次に本発明の第４の実施形態としてのカメラについて説明する。
このカメラは、図１２に示すようなズーミング動作がステップ状に可変するものである。ＬＥＤ４ｇ，４ｈ，４ｉ，４ｊは、焦点距離の数値を示すＬＥＤ表示であり、ＬＥＤ４ａ，４ｂは、それぞれ図１（ｂ）に示したようなワイド側，テレ側表示用のＬＥＤである。
【００４５】
この実施形態においては、ＬＥＤ４ａ，４ｂでズーミング動作の微調整を行い、ＬＥＤ４ｇ，４ｈ，４ｉ，４ｊで粗調整ができるようにしたものであり、数値表示を注視することにより、その焦点距離に対応するズーミングが行われる。
【００４６】
図１３には、このようなカメラの動作を示すフローチャートを示し説明する。まず、ＬＥＤ４ｇに注視しているか否か判定する（ステップＳ１０１）。ＬＥＤ４ｇに注視している場合は（ＹＥＳ）、ＬＥＤ４ｇを点滅させ（ステップＳ１０２）、３０ｍｍのズーミング動作を行い（ステップＳ１０３）、動作完了に伴いＬＥＤ４ｇを点灯させる（ステップＳ１０４）。
【００４７】
以下、ＬＥＤ４ｈ，４ｉ，４ｊにおいて、同様に５０ｍｍ，７０ｍｍ，９０ｍｍのズーミング動作を行う（ステップＳ１０５〜１１６）。そして、ＬＥＤ４ａ，４ｂを注視した時にはワイド側、若しくはテレ側にズーミング動作を行う（ステップＳ１１７〜Ｓ１２０）。
前述した各ズーミング動作が終了した後、１ｓｔレリーズスイッチ３７がオンしているか否か判定し（ステップＳ１２１）、オフであれば（ＮＯ）、ステップＳ１０１に戻り、オンしていれば（ＹＥＳ）、測距を行い（ステップＳ１２２）、図４のステップＳ１５に移行して、処理する。
【００４８】
以上のことから、本実施形態のカメラは、シャッタチャンスを逃すこと無く、ピントが合った写真を撮影することができる。
また本発明は、前述した実施形態に限定されるものではなく、他にも発明の要旨を逸脱しない範囲で種々の変形や応用が可能であることは勿論である。
【００４９】
【発明の効果】
以上詳述したように本発明によれば、視線入力によるズーミングが可能であり、撮影者は、手動のズームボタンの操作をせずに、非接触でズーミングを行うことができ、手動操作が不要でズーミング動作を行うことが可能となる。
【図面の簡単な説明】
【図１】図１（ａ）は、本発明による第１の実施形態としてのカメラの概念的な構成を示す図であり、図１（ｂ）は、ファインダ内に設けられたキャラクタ表示（ＬＥＤ）４ａ，４ｂの配置を示す図であり、図１（ｃ）は、カメラのズーミング動作を説明するためのフローチャートである。
【図２】図２（ａ）は、図１（ａ）に示した視線方向検出部が組み込まれたカメラのファインダ光学系の概略的な構成を示す図であり、図２（ｂ）は、視線方向検出部に含まれるラインセンサの出力特性を示す図である。
【図３】図１に示した視線方向検出部を搭載したカメラの構成を示すブロック図である。
【図４】図３に示したカメラの動作について説明するためのフローチャートである。
【図５】振動検知を説明するためのフローチャートをある。
【図６】ファインダ内のＬＥＤの配置とＬＥＤに印加する電圧波形を示す図である。
【図７】本発明による第２の実施形態としての可変速度カメラのファインダ内の構成を示す図である。
【図８】第２の実施形態の可変速度カメラの動作を説明するためのフローチャートである。
【図９】本発明による第３の実施形態としてのカメラの動作を説明するためのフローチャートである。
【図１０】ファインダ内に配置したＬＥＤの配置を示す図である。
【図１１】視線により露光可能なカメラの動作を説明するためのフローチャートである。
【図１２】本発明の第４の実施形態としてのズーミング動作がステップ状に可変するカメラのファインダの配置を示す図である。
【図１３】本発明の第４の実施形態としてのズーミング動作がステップ状に可変するカメラの動作を説明するためのフローチャートである。
【符号の説明】
１…ワンチップ・マイクコンピュータ（ＣＰＵ）
２…ズーム制御部
３…ズームレンズ
４ａ，４ｂ…キャラクタ表示（ＬＥＤ）
５…視線方向検出部
６…目
７…注視継続有無検出部
８…時間測定部（タイマ）
２０…対物レンズ
２１，２３…ハーフミラー
２２…接眼レンズ
２４…発光ダイオード
２５…ラインセンサ
２６…第１結像レンズ
２７…第２結像レンズ
３０…オートフォーカス（ＡＦ）回路
３１…インターフェース（ＩＦ）回路
３２…センサ
３３…モータドライバ
３４…モータ
３５…エンコーダ
３６…ファインダ
３７…１ｓｔレリーズスイッチ
３８…２ｎｄレリーズスイッチ
３９…メインスイッチ。
【図１】
0003659895.tif 000002
【図２】
0003659895.tif 000003
【図３】
0003659895.tif 000004
【図４】
0003659895.tif 000005
【図５】
0003659895.tif 000006
【図６】
0003659895.tif 000007
【図７】
0003659895.tif 000008
【図８】
0003659895.tif 000009
【図９】
0003659895.tif 000010
【図１０】
0003659895.tif 000011
【図１１】
0003659895.tif 000012
【図１２】
0003659895.tif 000013
【図１３】
0003659895.tif 000014